(57)【特許請求の範囲】
【請求項１】
カラー陰極線管の電子銃から放出される電子ビームを水平および垂直方向に偏向する偏向ヨークと、上記偏向ヨークの電子銃側に上記電子ビームを挟んで対向配置されたコマ補正コイルが巻回された一対のコアとを備えた偏向ヨーク装置において、
前記コマ補正コイルが、前記コアの軸方向に前記コアの上を摺動可能であるとともに前記コアの軸に対する角度が変化する方向に回転可能であり、
前記コマ補正コイルが筒状のボビンに巻回されており、前記ボビンの内径を前記コアの外径より大きくしたことを特徴とする偏向ヨーク装置。
【請求項２】
前記コアがＩ字形又はコ字形又はＥ字形であることを特徴とする請求項１記載の偏向ヨーク装置。
【請求項３】
前記コアが上下方向又は左右方向に配置されたことを特徴とする請求項１又は請求項２記載の偏向ヨーク装置。
【発明の詳細な説明】
【０００１】
【発明の属する技術分野】
本発明は、テレビジョン受像機、コンピュータディスプレイ等のカラー陰極線管に用いられる偏向ヨーク装置に関するものである。
【０００２】
【従来の技術】
一般的に、偏向ヨーク装置の中心軸とカラー陰極線管の中心軸とのずれや、偏向ヨークの首振りと呼ばれる中心軸どうしが所定の角度をもって交わってしまうことが、コンバーゼンス特性に大きく影響する。その対策として、特開平１１−５４０６７号公報に以下の技術が開示されている。
【０００３】
図７に示すように、偏向ヨーク装置１は、カラー陰極線管の電子銃から放出される電子ビームを水平および垂直方向に偏向する偏向ヨーク３と、偏向ヨーク３の電子銃側に上記電子ビームを挟んで対向配置された４極のコマ補正コイル５ａ、５ｂが巻回された一対のコ字形コア４ａ、４ｂと、コ字形コア４ａ、４ｂが上下方向又は左右方向に摺動可能となるようなスライド機構とを具備したものである。
【０００４】
そして、上記の構成によると、カラー陰極線管と偏向ヨーク３との上下方向の中心軸のずれによる、図８（Ａ）に示すＹＨミスコンバーゼンスが発生した場合でも、コマ補正コイル５ａ、５ｂを有する一対のコ字形コア４ａ、４ｂが図９（Ａ）に矢印で示す上下方向にスライドできるので、偏向ヨーク３の首振りを行わなくても、カラー陰極線管と偏向ヨーク３との中心軸のずれによるＹＨミスコンバーゼンスを修正できる。また、カラー陰極線管と偏向ヨーク３との左右方向の中心軸のずれによる、図８（Ｂ）に示すＹｖミスコンバーゼンスが発生した場合でも、コマ補正コイル５ａ、５ｂを有する一対のコ字形コア４ａ、４ｂが図９（Ｂ）に矢印で示す左右方向にスライドできるので、偏向ヨーク３の首振りを行わなくても、カラー陰極線管と偏向ヨーク３との中心軸のずれによるＹｖミスコンバーゼンスを修正できる。
【０００５】
【発明が解決しようとする課題】
しかしながら上記構成では、ミスコンバーゼンスを修正するために、図９（Ａ）及び図９（Ｂ）に示すように、コ字形コア４ａ、４ｂを上下方向又は左右方向に実線から破線までスライドする、スペースやスライド機構が必要となる。その結果、電子ビームからコ字形コア４ａ、４ｂの先端までの距離が大きくなる場合もあり、コマ補正コイル５ａ、５ｂの感度（効率）が低下するという問題や、コ字形コア４ａ、４ｂをスライドさせるための機構部品が必要となり、構成が複雑になるという問題があった。
【０００６】
本発明は、このような課題を解決するためになされたもので、コマ補正コイルの感度を低下させることなく、簡単な構成でミスコンバーゼンスを修正できる偏向ヨーク装置を提供する。
【０００７】
【課題を解決するための手段】
本発明の偏向ヨーク装置は、カラー陰極線管の電子銃から放出される電子ビームを水平および垂直方向に偏向する偏向ヨークと、上記偏向ヨークの電子銃側に上記電子ビームを挟んで対向配置されたコマ補正コイルが巻回された一対のコアとを備えた偏向ヨーク装置において、前記コマ補正コイルが、前記コアの軸方向に前記コアの上を摺動可能であるとともに前記コアの軸に対する角度が変化する方向に回転可能であり、前記コマ補正コイルが筒状のボビンに巻回されており、前記ボビンの内径を前記コアの外径より大きくしたことを特徴とする。

【０００８】
この構成により、カラー陰極線管のネック部に対してコアの先端が接触又は近接して設けられるので、コマ補正コイルの感度低下を防止することができ、また、コアに対して単にコマ補正コイルをスライド及び回転させるだけでよいので、従来技術のようなコアをスライドさせるための機構部品が不必要となる。

【０００９】
【発明の実施の形態】
以下、本発明の実施の形態について、図面を用いて説明する。
【００１０】
図１に示すように、本発明の実施の形態における偏向ヨーク装置１０が装着されたカラー陰極線管９は、蛍光面１１ａを有するパネル１１、蛍光面１１ａと対向する位置に設けられたシャドウマスク１２を有するフレーム１３及びネック管部１４ａ内に電子銃１５を有し、ネック管部１４ａとパネル１１の間を接続するファンネル部１４から構成されている。以下の説明の便宜のために図示したように、水平方向を左右方向とし、垂直方向を上下方向として説明する。
【００１１】
偏向ヨーク装置１０は、電子銃１５の電子ビーム１５Ｒ、１５Ｇ、１５Ｂを偏向するためにファンネル部１４の外周上に設けられている。偏向ヨーク装置１０は、図２、図３にも示すように、電子銃１５から放出される電子ビーム１５Ｒ、１５Ｇ、１５Ｂを水平および垂直方向に偏向する磁界を発生する各一対の水平および垂直偏向コイル２を有する偏向ヨーク３と、偏向ヨーク３の電子銃側に電子ビーム１５Ｒ、１５Ｇ、１５Ｂを挟んで対向配置された４極のコマ補正コイル１８ａ、１８ｂが巻回された一対のコ字形コア１７ａ、１７ｂと、コ字形コア１７ａ、１７ｂに対して、コマ補正コイル１８ａ、１８ｂを摺動可能とするスライド機構１９を備えたものである。また、コマ補正コイル１８ａ、１８ｂは、垂直偏向コイル２へ直列接続されている。
【００１２】
偏向ヨーク３の絶縁枠２１は、水平および垂直偏向コイル２が設けられた円錐台状の壁面２１ａと、絶縁枠２１の小口径側に絶縁枠２１と一体に設けられたコア取付板部２１ｂとで構成されたものである。なお、コア取付板部２１ｂは、必ず絶縁枠２１と一体にする必要はなく、別々に設けてもよい。
【００１３】
スライド機構１９は、コア取付板部２１ｂの凸部２１ｃに固定されたコ字形コア１７ａ、１７ｂと、コマ補正コイル１８ａ、１８ｂが巻回された筒状のボビン２０ａ、２０ｂとで構成され、ボビン２０ａ、２０ｂの内径をコ字形コア１７ａ、１７ｂの外径より大きくして、コ字形コア１７ａ、１７ｂの中間部Ｓの上をボビン２０ａ、２０ｂが左右方向にスライドするようにしたものである。これにより、従来の技術で説明した図８（Ｂ）に示すＹｖミスコンバーゼンスの修正に加え、カラー陰極線管に対して偏向ヨーク３の回転ずれによる、図８（Ｃ）に示すＶＧ傾斜ミスコンバーゼンスを修正することができる。前記修正後はコ字形コア１７ａ、１７ｂとボビン２０ａ、２０ｂとをホットメルト接着剤により固着している。
【００１４】
ボビン２０ａ、２０ｂの内径とコ字形コア１７ａ、１７ｂの外径は、摩擦力により相互の位置関係が固定される程度の大きさに設定することが好ましい。すなわち、一定以上の外力を加えないとボビン２０ａ、２０ｂの位置がずれない程度のはめあい状態が好ましい。ボビン２０ａ、２０ｂとコ字形コア１７ａ、１７ｂとを接着剤で接着する前には、コ字形コア１７ａ、１７ｂの中央部にボビン２０ａ、２０ｂを仮固定しておく。修正が必要なものについては、手作業によりボビン２０ａ、２０ｂの位置を修正する。最終的には、位置の修正の有無にかかわらず、ボビン２０ａ、２０ｂとコ字形コア１７ａ、１７ｂとを接着剤により固定する。
【００１５】
寸法の一例を示すと、ボビン２０ａの内径が６．０〜６．２ｍｍ、コ字形コア１７ａの外径が５．９５〜６．０ｍｍである。
【００１６】
なお、コ字形コア１７ａ、１７ｂの中間部長Ｌ１はボビン２０ａ、２０ｂのコイル巻長Ｌ２より大きくしている。また、コ字形コア１７ａ、１７ｂの両先端は、ネック管部１４ａの外周面と接触又は近接するように設けられている。
【００１７】
以上のように構成された偏向ヨ−ク装置について、以下その作用、効果を説明する。
【００１８】
本発明の偏向ヨーク装置１０は、図４に示すように、コ字形コア１７ａ、１７ｂに対してコマ補正コイル１８ａ、１８ｂが左右方向に摺動可能とするスライド機構１９を備えたことにより、コ字形コア１７ａ、１７ｂの両先端から発生する磁界を非対称とすることができ、従来の技術で説明した図８（Ｂ）に示すＹｖミスコンバーゼンスの修正に加え、図８（Ｃ）に示すＶＧ傾斜ミスコンバーゼンスも修正することができる。その結果、最適な画像を得ることができる。
【００１９】
コ字形コアの両先端から発生する磁界が非対称となるのは、次の理由による。第１に、コマ補正コイルからコ字形コア先端までの長さが左右で異なるため、左右のコア先端からそれぞれ出る磁界の強度に差が生じるからである。第２に、コマ補正コイルの位置がコ字形コアの中心から左右いずれかにずれているため、コマ補正コイル自体からの輻射磁界の電子ビームへの影響が左右非対称になるためである。
【００２０】
また、本発明の偏向ヨーク装置１０は、ネック管部１４ａに対してコ字形コア１７ａ、１７ｂの両先端が接触又は近接する状態を保ってコ字形コア１７ａ、１７ｂをコア取付板部２１ｂに固定されているので、従来技術のようにネック部に対してコ字形コア４ａ、４ｂの両先端の位置が変化することによる、コマ補正コイル１８ａ、１８ｂの感度低下を防止することができる。
【００２１】
さらに、本発明の偏向ヨーク装置１０は、コ字形コア１７ａ、１７ｂに対して単にボビン２０ａ、２０ｂを左右方向に摺動可能に構成しているので、従来技術のようなコ字形コア４ａ、４ｂをスライドさせるための新たな機構部品が不必要となる。その結果、従来技術に比べ構成を簡単にすることができ、かつ、コア取付板部２１ｂにコ字形コア１７ａ、１７ｂを設けるためのスペースも小さくできる。
【００２２】
次に、図３に示す本発明の偏向ヨーク装置を、図１に示すように、４６（ｃｍ）コンピュータモニタ用陰極線管に装着し、コ字形コア１７ａ、１７ｂ（幅Ｂ＝６ｍｍ、中間部長Ｌ１＝２０ｍｍ）に対し、ボビン２０ａ、２０ｂ（コイル巻長Ｌ２＝１４ｍｍ、コイル巻＝８０ターン）が左右方向に摺動したときのＶＧ傾斜ミスコンバーゼンスの修正量に関して効果を確認してみた。なお、この修正量とはボビンの一方をセンターＹから左又は右にスライド移動したとき、図８（Ｃ）に示すパネル周辺部において電子ビームが水平方向に移動する距離Ｅをいう。
【００２３】
本発明の偏向ヨーク装置において、ボビン２０ａ、２０ｂをセンターＹからコイル巻長Ｌ２の２０％左又は右にスライドした時、距離Ｅが０.１ｍｍ変化することを確認できた。
【００２４】
なお、本実施の形態に係るスライド機構１９は、コ字形コア１７ａ、１７ｂの中間部Ｓに対しボビン２０ａ、２０ｂを左右方向に摺動可能に構成したもので説明したが、これに限らず、コ字形コア１７ａ、１７ｂのそれぞれの両足部にコマ補正コイルが巻回された筒状のボビンを設け、このボビンの内径をコ字形コア１７ａ、１７ｂの外径より大きくして、コ字形コア１７ａ、１７ｂの両足部の上を前記ボビンが上下方向にスライドするようにしたものでもよい。この構成によれば、カラー陰極線管と偏向ヨーク３との上下方向の中心軸のずれによる、図８（Ａ）に示すＹＨミスコンバーゼンスを修正することができる。
【００２５】
また、本実施の形態に係るコア１７ａ、１７ｂは、コ字型に形成され、かつその一対のコア１７ａ、１７ｂを上下方向に配置したもので説明したが、これに限られるものではない。ミスコンバーゼンスの形態によっては、形状や位置を適宜選択することができるものである。
【００２６】
例えば、カラー陰極線管と偏向ヨーク３との上下方向の中心軸のずれによる、図８（Ｄ）に示すＶＣＲミスコンバーゼンスが発生した場合には、図５に示すように、左右方向に一対のＥ字形コア３０ａ、３０ｂを設け、それぞれのＥ字形コア３０ａ、３０ｂの足部にコマ補正コイル３１ａ、３１ｂが巻回されたボビン３２ａ、３２ｂを設け、そのボビン３２ａ、３２ｂのそれぞれを左右方向にスライドさせることでＶＣＲミスコンバーゼンスを低減できる。
【００２７】
また、従来の技術で説明した図８（Ｂ）に示すＹｖミスコンバーゼンスが発生した場合には、図６に示すように、左右方向に一対のＩ字形コア４０ａ、４０ｂを設け、それぞれの棒状部にコマ補正コイル４１ａ、４１ｂが巻回されたボビン４２ａ、４２ｂを設け、そのボビン４２ａ、４２ｂのそれぞれを左右方向にスライドさせることでＹｖミスコンバーゼンスを低減することができる。
【００２８】
図１０は、本発明の別の実施の形態に係るコ字形コア１７ａとコマ補正コイル１８ａを示す。この実施の形態では、図１０（ａ）に示すように、ボビン２０ａの内径（破線で示す）をコ字形コア１７ａの外径（破線で示す）よりもかなり大きく設定している。図１０（ｂ）に示すように、コ字形コア１７ａに対して、コマ補正コイル１８ａが平行移動（スライド）だけでなく、回転移動もできるようになっている。すなわち、コ字形コア１７ａの軸に対する角度が変化するような回動が可能である。この構成によっても、磁界を非対称とすることができる。例えば、コマ補正コイル１８ａをコ字形コア１７ａの中心に位置させて回転移動だけさせた場合には、コマ補正コイル１８ａからの輻射磁界の影響の非対称性が得られる。
【００２９】
寸法の一例を示すと、ボビン２０ａの内径が１３ｍｍ、コア１７ａの外径が６ｍｍである。回動できる角度は、５°以上、４５°以下が好ましい。
【００３０】
この実施の形態では、コ字形コア１７ａとボビン２０ａとの間に大きな隙間があるため、最終的に接着剤で固定するまでコマ補正コイル１８ａの位置が定まらない。そこで、図２におけるコア取付板部２１ｂの凸部２１ｃの突出高さを適当に決め、コア取付板部２１ｂとコ字形コア１７ａとでボビン２０ａを適度な力ではさみつけるようにすることが好ましい。これにより、コマ補正コイル１８ａの仮固定が可能であるとともに、位置の修正が容易に行える。
【００３１】
さらに、上記コマ補正コイル１８ａ、１８ｂ、３１ａ、３１ｂ、４１ａ、４１ｂは、垂直偏向コイル２と直列接続されるものであるが、これに限らず、水平偏向コイルと直列接続されるものでもよい。
【００３２】
【発明の効果】
以上のように本発明によると、コマ補正コイルの感度を低下させることなく、簡単な構成でミスコンバーゼンスを修正できる偏向ヨーク装置を提供することができるものである。その結果、この偏向ヨーク装置を陰極線管に装着した場合に、最適な画像を得ることができる。
【図面の簡単な説明】
【図１】本発明の偏向ヨーク装置が設けられたカラー陰極線管を示す断面図
【図２】本発明の偏向ヨーク装置の側面を示す斜視図
【図３】本発明の偏向ヨーク装置を示す背面図
【図４】本発明の偏向ヨーク装置に係る４極コマ補正コイルのボビンをスライドしたときの磁力線を示す図
【図５】本発明に係る他の偏向ヨーク装置を示す背面図
【図６】本発明に係る他の偏向ヨーク装置を示す背面図
【図７】従来の偏向ヨーク装置の側面を示す斜視図
【図８】ミスコンバーゼンスを示す図
【図９】従来の偏向ヨーク装置を示す背面図
【図１０】本発明の別の実施の形態に係るコ字形コアとコマ補正コイルとを示す図
【符号の説明】
２  垂直偏向コイル
３  偏向ヨーク
１７ａ、１７ｂ  コ字形コア
１８ａ、１８ｂ  コマ補正コイル
１９  スライド機構
【図１】
0003932908.tif 000002
【図２】
0003932908.tif 000003
【図３】
0003932908.tif 000004
【図４】
0003932908.tif 000005
【図５】
0003932908.tif 000006
【図６】
0003932908.tif 000007
【図７】
0003932908.tif 000008
【図８】
0003932908.tif 000009
【図９】
0003932908.tif 000010
【図１０】
0003932908.tif 000011